(57)【特許請求の範囲】
【請求項１】
燃焼機器本体とリモコンと中継装置を備え、前記中継装置は前記リモコンからの制御信号を受信したあと前記燃焼機器本体を動作させるまでの時間を記憶するタイマ手段と、制御命令記憶手段とを有し、前記リモコンからの制御信号を受信したとき前記タイマ手段のタイマをスタートするとともに前記制御信号に含まれる制御命令を前記制御命令記憶手段に格納し、前記燃焼機器本体を動作させるまでの時間を前記タイマ手段で計時した後、前記制御命令記憶手段に格納した前記制御命令を前記燃焼機器本体に送信して制御する燃焼機器。
【請求項２】
燃焼機器本体とリモコンと中継装置を備え、前記中継装置は前記リモコンからの制御信号を受信したあと前記燃焼機器本体を動作させる時刻を記憶するタイマ手段と、制御命令記憶手段とを有し、前記リモコンからの制御信号を受信したとき前記制御信号に含まれる制御命令を前記制御命令記憶手段に格納し、前記燃焼機器本体を動作させる時刻を前記タイマ手段で計時した後、前記制御命令記憶手段に格納した前記制御命令を前記燃焼機器本体に送信して制御する燃焼機器。
【請求項３】
前記タイマ手段の時間設定または時刻設定は、前記リモコンを操作し、前記リモコンから前記中継装置に対してタイマ設定信号を伝達することで行う請求項１から２のいずれか一項に記載の燃焼機器。
【請求項４】
請求項１から３のいずれかに記載の燃焼機器が有する機器の一部または全部をコンピュータにより実行するためのプログラム。
【発明の詳細な説明】
【０００１】
【発明の属する技術分野】
本発明は、リモコンで遠隔制御、モニタなどを行う燃焼機器に関するものである。
【０００２】
【従来の技術】
従来、燃焼機器をメンテナンスするためなどの目的で燃焼機器の状態情報や故障情報等を出力する燃焼機器とこれをメンテナンスするためのパソコンで構成したメンテナンス燃焼機器が考案されている。従来例を図５に示す。まず図５の従来例の構成を説明する。図５において１、８、１０、１２は燃焼機器で１は親機、８、１０、１２は子機で、親機１を制御することにより子機８、１０、１２は制御される。２、３、４は親機１の子機接続端子、５は親機１のパソコン接続端子、６は親機１の本体機能部で例えば親機１が給湯器の場合は湯沸かし機能、出湯機能等の親機１の燃焼機器としての本来機能を有する。７は親機１のＣＰＵなどで構成された機器制御手段である。９、１１、１３は子機８、１０、１２の親機接続端子である。１４はメンテナンス燃焼機器としてのパソコンで、１５はパソコン１４の機器接続端子で、１６はパソコン１４のＣＰＵである。
【０００３】
次に図５の従来例の動作を説明する。パソコン１４は親機１、子機８、１０、１２の動作状態要求信号をＣＰＵ１２で作成し機器接続端子１５から親機１のパソコン接続端子５に対して送信する。パソコン接続端子１５で受信した信号を親機制御手段７で解釈し、親機本体機能部６に対して、あるいは子機８、１０、１２に対して子機接続端子２、３、４、親機接続端子９、１１、１３を介して伝送する。これに対して親機本体機能部６あるいは子機８、１０、１２は親機制御手段４に対してそれぞれの動作状態を返送する。親機制御手段４はパソコン接続端子５、機器接続端子１５を介してＣＰＵ１６に対して要求された動作状態情報を返送する。
【０００４】
以上の動作によりパソコン１４は燃焼機器１、８、１０、１２の動作状態を知ることができ、この情報などで燃焼機器１、８、１０、１２をメンテナンスすることができる。
【０００５】
【発明が解決しようとする課題】
しかしながら、従来例ではパソコンと燃焼機器の間の通信、即ちパソコン接続端子５と機器接続端子１５の間の通信はパソコン１４からの燃焼機器１、８、１０、１２のメンテナンスを行うためのものであり、これをリモコンシステムに用いるという発想はなかった。このメンテナンス用の接続端子およびその通信仕様は燃焼機器の種類、品番に関わらず同一であることが多く、これを用いたリモコンシステムは異なる燃焼機器の壁を超えて共通のリモコンを構築することが可能である。また給湯器のように設備機器では業界全体でメンテナンス用の接続端子およびその通信仕様を定めている場合が多く、これを用いたリモコンシステムは製造者を超えて共通のリモコンを構築することができる。
【０００６】
しかしながら、これらは本来、メンテナンス用の仕様を利用しているのでタイマー動作の機能を備えていない。つまり、メンテナンス用の接続端子およびその通信仕様を用いてリモコンシステムを構築した場合、燃焼機器１、８、１０、１２のタイマ動作を実現する機能を有しておらず、近年働く女性等の間で需要が増加している燃焼機器のタイマ動作実現できないという課題を有しており、既に燃焼機器に搭載されている通信機能を利用し、燃焼機器のタイマ動作を実現することは極めて有効である。
【０００７】
上記課題を解決するために、本発明は、燃焼機器から入出力するメンテナンス信号を使用し、燃焼機器のタイマ動作を行うことができる中継装置またはリモコンシステムを実現することを目標とする。
【０００８】
【課題を解決するための手段】
本発明は、リモコンによって遠隔操作する燃焼機器において、リモコンから入力された前記機器の操作信号を受信して記憶し、設定された時間が近づくと前記操作信号を機器のメンテナンス用制御信号入力端子に出力して機器のタイマ動作を行う信号発生手段を備えた燃焼機器としている。
【０００９】
【発明の実施の形態】
請求項１に記載した発明は、燃焼機器本体とリモコンと中継装置を備え、前記中継装置は前記リモコンからの制御信号を受信したあと前記燃焼機器本体を動作させるまでの時間を記憶するタイマ手段と、制御命令記憶手段とを有し、前記リモコンからの制御信号を受信したとき前記タイマ手段のタイマをスタートするとともに前記制御信号に含まれる制御命令を前記制御命令記憶手段に格納し、前記燃焼機器本体を動作させるまでの時間を前記タイマ手段で計時した後、前記制御命令記憶手段に格納した前記制御命令を前記燃焼機器本体に送信して制御する燃焼機器を実現することができる。
【００１０】
請求項２に記載した発明は、燃焼機器本体とリモコンと中継装置を備え、前記中継装置は前記リモコンからの制御信号を受信したあと前記燃焼機器本体を動作させる時刻を記憶するタイマ手段と、制御命令記憶手段とを有し、前記リモコンからの制御信号を受信したとき前記制御信号に含まれる制御命令を前記制御命令記憶手段に格納し、前記燃焼機器本体を動作させる時刻を前記タイマ手段で計時した後、前記制御命令記憶手段に格納した前記制御命令を前記燃焼機器本体に送信して制御する燃焼機器を実現することができる。
【００１１】
請求項３に記載した発明は、信号発生手段は別筐体として燃焼機器とリモコンとの間に挿入し、前記タイマ動作を変更可能とした燃焼機器を実現することができる。
【００１２】
請求項４に記載した発明は、燃焼機器が有する機能の少なくとも一部をコンピュータにより実行するためのプログラムとしている。
【００１３】
そして、プログラムであるので家庭にあるコンピュータ等などを用いて本発明の電気機器の一部あるいは全てを容易に実現することができる。また記録媒体に記録したり通信回線を用いてプログラムを配信したりすることでプログラムの配布が簡単にできる。
【００１４】
【実施例】
以下本発明の実施例について説明する。
【００１５】
（実施例１）
まず本実施例の燃焼機器を備えたリモコンシステムの構成を説明する。図１は本実施例の燃焼機器を備えたリモコンシステムの全体構成の実施例を示すブロック図である。図１で２０は本実施例の燃焼機器（以下、機器と記載）であり、２１は親機、４０、５０、６０は子機を示す。本実施例において親機２１はガスによって温水を作るとともに風呂、台所、洗面所などへ給水するガス燃焼機器である。また子機４０は親機２１で生成した温水を用いて機能する温水床暖房装置、子機５０は２１で生成した温水を用いて機能する温水浴室乾燥装置、子機６０は親機２１の操作部を有し浴室等に設置する操作装置を示す。温水床暖房装置は燃焼機器で沸かした温水を循環することにより機能する床暖房装置であり、温水浴室乾燥装置は燃焼機器で沸かした温水の熱量を活用して浴室内にある衣料品等を乾燥する機能を有する乾燥装置である。これらの他に本実施例では記載していないが、子機としては温水の熱量を利用して機能する温水エアコン、温水の熱量を利用して機能するファンイータなどを用いることができる。
【００１６】
もちろん機器２０は電気を制御に用いるガス給湯器や石油給湯器や電気温水器やヒートポンプ給湯器などの給湯器などとしてもよい。
【００１７】
７０は機器２０の遠隔制御や状態モニタなどを行うリモコン、８０は機器２０とリモコン７０の間に設置し、双方の信号を変換する中継装置を示す。２２、２３、２４は子機４０、５０、６０と接続する親機２１の対機器接続手段、２５は中継装置８０と接続する親機２１の対中継装置接続手段、４１、５１、６１は親機２１と接続する子機４０、５０、６０の対親機接続手段を示す。７１はリモコン７０の表示部、７２、７３、７４、７５はリモコン７０の操作スイッチ、７６は中継装置８０と接続するリモコン７０の対中継装置接続手段を示す。８１は親機２１と接続する中継装置の対親機接続手段、８２、８３、８４はリモコン７０と接続する中継装置８０の対リモコン接続手段、８５は中継装置８０のメンテナンス用端子を示す。
【００１８】
また、図２は本実施例の機器２０の詳細ブロック図、図３は本実施例のリモコン７０の詳細ブロック図、図４は本実施例の中継装置８０の詳細ブロック図を示す。
【００１９】
図２において２６は親機２１の本体機能である湯沸かし、出湯などの機能を有する本体機能部、２７は親機２１のＣＰＵ等で構成する親機制御手段、２８は親機２１の動作状態や故障情報などを記憶する親機情報記憶手段、２９は子機４０、５０、６０のコントロール等を行う子機コントロール手段、３０はリモコン７０と送受信を行う送受信手段を示す。また、４２、５２、６２は子機４０、５０、６０のＣＰＵ等で構成する子機制御手段、４３、５３、６３は子機４０、５０、６０のそれぞれの本体機能を有する子機本体機能部を示す。
【００２０】
図３はリモコン７０の詳細ブロック図を示す。図３において、７７はリモコン７０のＣＰＵ等で構成するリモコン制御手段、７８はタイマ設定手段、７９は中継装置との送受信を行う送受信手段を示す。
【００２１】
図４は中継装置８０の詳細ブロック図を示す。図４において８６は中継装置８０のＣＰＵ等で構成した中継装置制御手段、８７、８８、８９は信号変換手段、９０、９１、９２はリモコン７０と送受信する送受信手段、９３は親機２１と送受信する送受信手段、９４はタイマ手段、９５、９６は優先設定手段Ａ、優先設定手段Ｂ、９７は選択手段、９８は制御命令記憶手段を示す。
【００２２】
次に本実施例の動作について説明する。  親機（燃焼機器）２１のオン／オフ、温度設定、水量設定、風呂自動お湯張り等のコントロールを行う場合、また、子機（温水床暖房装置）４０と子機（温水浴室乾燥機）５０のオン／オフ、温度設定等のコントロールを行う場合、必ずしも親機２１、子機４０、５０の近傍には設置していないリモコン７０から遠隔操作する。例えば親機のオン／オフをコントロールする場合は操作スイッチ７２を操作する。温水の温度を設定する場合は操作スイッチ７３を操作する。また子機（温水床暖房装置）４０のオン／オフをコントロールする場合は操作スイッチ７４を操作する。また詳細機能は後述するが親機２１、子機４０、５０のタイマ動作の設定は操作スイッチ７５を操作する。またその他の機能を行う場合は記載していない操作スイッチを操作することでコントロールする。また、親機２１と子機４０、５０の動作状態や設定状態や故障状態やこれらの履歴は必ずしも親機２１、子機４０、５０の近傍には設置していないリモコン７０で遠隔モニターする。このとき、上記オン／オフなどの操作やタイマ動作の設定を行うための案内には表示手段７１を用いる。
【００２３】
これらの設置場所としては、例えば親機２１はマンションのパイプシャフトや屋外壁などに設置することが考えられる。また子機４０（温水床暖房装置）は居間や寝室や子供部屋や書斎などに、子機５０（温水浴室乾燥装置）は浴室に、子機（操作装置）６０は浴室に設置することなどが考えられる。また、リモコン７０は台所や居間や廊下などに設置することが考えられる。
【００２４】
以下に本実施例の詳細な動作について説明する。子機（温水床暖房装置）４０の保守情報や動作状態情報や設定情報や故障情報やこれらの履歴情報は子機制御手段４２から対親機接続手段４１と対子機接続手段２２を介して子機情報記憶手段３１に記憶する。また、親機の保守情報や動作状態情報や設定情報や故障情報やこれらの履歴情報は親機情報記憶手段２８に記憶する。ここで保守情報とは親機や子機の状態を表す情報であり、例えばヒータの燃焼温度やファンの回転数や温水にすることができた水量や機器内パイプの流水量等である。また動作状態情報と親機や子機が現在オン状態にあるのか、オフ状態にあるのか、待機状態にあるのか等の情報である。また設定情報は沸き上げ温水の温度設定値や沸き上げ流量設定値や自動お湯張り設定状態にあるなどの親機と子機の設定情報である。また故障情報は現在故障している部品情報などである。履歴情報はここまで述べた各種情報の履歴を示す情報である。親機２０は子機情報記憶手段３１と親機情報記憶手段２８に記憶した情報を送受信手段３０から送信し、対中継装置接続手段と対親機接続手段８１を介して送受信手段９３で受信し、中継装置制御手段８６に伝達する。
【００２５】
本実施例では送受信手段３０と送受信手段９３の間の通信は不平衡シリアル通信で行っているものとする。中継装置制御手段８６は中継装置８０に伝達した信号を信号変換手段８７、８８、８９に伝達し、信号変換手段８７、８８、８９は不平衡シリアル通信信号と各種通信信号の変換を行う。不平衡シリアル通信は例えばＲＳ２３２Ｃ方式では通信可能距離が１０ｍ程度であり、使用する場所に限界があるが、各種通信信号に変換することで数百メートル程度の通信も可能となる。
【００２６】
本実施例では信号変換手段８７は不平衡シリアル通信信号とＲＳ４２２やＲＳ４８５などの平衡シリアル通信信号の変換を行う。また、信号変換手段８８は不平衡シリアル通信信号と特定小電力無線通信信号の変換を行う。また、信号変換手段８９は不平衡シリアル通信信号とイーサネット通信信号を変換する。この他に本実施例では記載していないが不平衡シリアル通信信号と電力線搬送通信信号、ブルートゥース通信信号、エコーネット通信信号等を変換することが考えられる。
【００２７】
また、本実施例では信号変換手段８７、８８、８９と中継装置制御手段をそれぞれ専用の経路で接続する構成としているが、中継装置制御手段から複数の信号変換手段に共通の経路で接続する構成としてもよい。この場合、中継装置制御手段８６から信号変換手段８７、８８、８９への信号伝達は信号を適当なパケットに分割し、第１のパケットを同時ではなく、まず信号変換手段８７に伝達し、次に信号変換手段８８に伝達し、次に信号変換手段８９に伝達する。次に第２のパケットを信号変換手段８７に伝達し、次に信号変換手段８８に伝達し、次に信号変換手段８９に伝達するという方式で中継装置制御手段８６から信号変換手段８７、８８、８９へ時系列に分けて信号を伝送する方式などがある。また、選択手段９７で使用する信号変換手段を選択し、選択した信号変換手段のみに対して中継装置制御手段が信号を伝達する方式などがある。また使用する信号変換手段を自動的に選択する方式もある。これはリモコン７０から送信された信号を受信できた中継装置８０の送受信手段を検出し、この送受信手段につながる信号変換手段のみに対し中継装置制御手段８６は信号の伝達を行う方法がある。
【００２８】
送受信手段９０、９１、９２は信号変換手段８７、８８、８９で通信方式を変換した信号を、対リモコン接続手段８２、８３、８４を介してリモコン７０の対中継装置接続手段７６に送信する。本実施例では中継装置８０の信号変換手段、送受信手段、対リモコン接続手段をそれぞれ３セットある構成としたが、１セットでも良いことは言うまでもなく、また、更に多くしても良いのは言うまでもない。また、送受信手段と対リモコン接続手段を複数の信号変換手段で共用しても良いのは言うまでもない。リモコン７０に届いた情報は送受信手段７９で受信し、リモコン制御手段７７に届く。リモコン制御手段７７は情報を表示手段７１に表示することにより、機器２０の必ずしも近傍に設置していないリモコン７０で機器２０の情報をモニタすることができる。
【００２９】
また、例えば操作スイッチ７４を操作してリモコン制御手段７７が子機４０をオンする制御指令を送受信手段７９から平衡シリアル通信（例えばＲＳ４８５）で送信したとき、送受信手段９１は対中継装置接続手段７６、対リモコン接続手段８３を介して子機４０の制御指令を受信する。信号変換手段８８は送受信手段９１が平衡シリアル通信で受信した子機４０の制御指令を不平衡シリアル通信（例えばＲＳ２３２Ｃ）に変換し中継装置制御手段８６を介して送受信手段９３から不平衡シリアル通信で送信する。送受信手段３０は対親機接続手段８１、中継装置接続手段２５を介して子機４０の制御指令を受信し、親機制御手段を介し、子機コントロール手段２９で子機４０のオン信号として子機接続手段２３、親機接続手段４１を介して、子機制御手段４２で子機本体機能部をオンする。親機２１や他の子機５０のオン／オフコントロールや、温度設定などの設定制御も同様に行うことができる。
【００３０】
また、メンテナンス用端子８５は中継装置８０が機器２０から受信した機器のメンテナンス信号を出力する機能を有し、メンテナンス用端子８５にパソコン等を接続することにより、機器２０のメンテナンスを行う情報をモニタすることができる。またメンテナンス用端子８５に接続したパソコンから機器２０のコントロールをすることもできる。メンテナンス用信号は親機２１や子機４０、５０の保守情報や動作状態情報や設定情報や故障情報やこれらの履歴情報からなっている。本来この信号は親機２１の対中継装置接続手段２５から出力する信号で、対中継装置接続手段２５にパソコンを接続することにより、親機２１や子機４０、５０の状態情報を得たり、親機２１や子機４０、５０をコントロールすることができる信号であるが、本実施例の中継装置８０はメンテナンス用端子８５からメンテナンス用信号を出力する形態としており、対中継装置接続手段２５に対親機接続手段８１を接続していても、このメンテナンス用端子８５にパソコンを接続することにより、機器のメンテナンスを行うことができる。
【００３１】
また、対リモコン接続手段８２、８３、８４とメンテナンス用端子８５を同時使用する場合、優先設定手段Ａ９５で設定したときには対リモコン接続手段８２、８３、８４からの出力よりもメンテナンス用端子８５からの信号を優先する機能を有している。また、優先設定手段Ｂで設定したときは対リモコン接続手段８２、８３、８４から信号を出力しない機能を有している。
【００３２】
また、タイマ手段９４で任意の時間ｔを設定したとき、リモコン７０から中継装置８０が機器２０に対する制御指令を受信した時間からタイマ手段９４で設定した時間経過後に、機器２０に対して制御信号を送信する機能を有している。即ち、表示手段７１の表示に従い、操作スイッチ７５を操作することにより、機器２０のタイマ動作を設定したとき、リモコン制御手段７７から機器２０の制御指令を送受信手段７９、対中継装置接続手段７６、対リモコン接続手段８３、送受信手段９１、信号変換手段８８を介して中継装置制御手段８６に届いたとき、中継装置制御手段８６は制御命令記憶手段９８にその制御指令を記憶する。その後、タイマ手段９４に設定した時間ｔが経過したとき、中継装置制御手段８６は制御命令記憶手段に記憶した機器２０の制御指令を送受信手段から送信し、これを受け取った機器２０は制御指令に従って動作する。即ちタイマ動作が実現できたことになる。このときタイマ手段９４に設定する時間はリモコン７０のタイマ設定手段７８から設定することができるとしても良い。
【００３３】
また、本実施例のタイマ手段９４に設定した時間を時刻としても良いのは言うまでもない。例えばタイマ手段９４に８：００と設定していた場合、制御命令記憶手段９８に記憶した命令を８：００になった時点で送信するとしても良い。また、動作完了までに所定の時間を有する場合はできあがりの時間を想定して逆算して制御命令を送信するとしても良い。例えば、給湯器の場合、風呂へのお湯はりに１０分必要な場合、タイマ手段９４に設定した時刻が８：００の場合、１０分前の７：５０に制御命令記憶手段に記憶した命令を送信する。これにより、１０分後の８：００、即ちタイマ手段９４に設定した時刻に風呂へのお湯はりが完了するというタイマ動作を実現できる。
【００３４】
なお、上述の給湯器の場合で風呂へのお湯はりに必要な時間１０分は制御命令記憶手段９８に記憶させる。この時間は給湯機の給湯能力毎に異なるので本発明の中継装置が様々な給湯機に共通であっても、この時間は接続する給湯機に応じて中継装置に設定しなければならない。そこでこのようなタイマー動作に必要な時間の情報は、中継装置を接続後にリモコンを用いて入力設定したり、ＩＣカードのような記録媒体や通信ネットワークを用いてダウンロードする。あるいは、中継装置の製造時や販売時にタイマー動作に必要な時間の情報を入力設定してもよい。このようなタイマー動作に必要な時間の情報、すなわち動作が開始してから完了するまでの時間は給湯器に限らず、中継装置を接続する機器に応じた、その機器の動作時間の情報である。例えば炊飯器における炊飯時間などである。
【００３５】
また、タイマ手段９４に時間ｔ２を別途設定し、中継装置制御手段８６はタイマ手段９４に設定したｔ２が経過するたびに送受信手段９３を介して機器２０に対して確認信号を送信し、正常時には送受信手段９３は機器２０の送受信手段３０から確認受け取り信号を受信することにより中継装置制御手段は中継装置８０と機器２０との通信が正常であることを検出するが、もし、送受信手段９３が機器２０の送受信手段３０からの確認受け取り信号を受信できなかったときは、中継装置８０と機器２０との通信が異常かあるいは機器２０が異常であることを検出し、その旨をリモコン７０に対して送信する。これによりリモコン７０の表示手段に表示した情報で使用者は異常があることを認識できる。例えばｔ２が１分であったとき、１分ごとに通信の安定が確認できるため、最悪でも通信異常が発生している時間は１分と短時間であり、極めて安定なシステムを実現できる。また、ｔ２として時刻を設定しても良い。例えばｔ２を１２：００としたとき、１２：００になるたびに確認信号を送信する。これでも同様の効果が得られる。
なお、リモコンからウェブに接続することで屋外のＰＤＡや携帯電話やパソコンなどからリモコン７０を介して機器２０をコントロール、あるいは機器２０の情報を屋外のＰＤＡや携帯電話やパソコンなどでモニターできることは言うまでもない。なお、本実施例では信号変換手段８７、８８、８９は中継装置８０に実装し、機器２０とは別筐体に実装しているとしたが、信号変換手段８７、８８、８９は機器２０と一体化した構成であってもよく、信号変換手段８７、８８、８９もしくは中継装置８０を機器２０の筐体内に内蔵する構成としていても良いのは言うまでもない。また、機器２０には子機が存在せず親機のみで構成していてもよく、リモコン装置７０をパソコンで構成していても良いのは言うまでもない。
【００３６】
【発明の効果】
以上のように、従来例ではパソコンと燃焼機器の間の通信、即ちパソコン接続端子と機器接続端子の間の通信はパソコンからの燃焼機器のメンテナンスを行うためのものであり、メンテナンス用の接続端子およびその通信仕様を用いてリモコンシステムを構築した場合に燃焼機器のタイマ動作を実現する機能を有しておらず、近年働く女性等の間で需要が増加している燃焼機器のタイマ動作実現できないという課題を有していたが、本発明により、既に燃焼機器に搭載されている通信機能を利用して、燃焼機器から出力する信号は信号変換手段によりタイマ動作を実現することができ、極めて有効である。
【図面の簡単な説明】
【図１】本発明の実施例である燃焼機器を備えたリモコンシステムの構成を示すブロック図
【図２】本発明の実施例である燃焼機器の構成を示すブロック図
【図３】本発明の実施例である燃焼機器を備えたリモコンシステムを構成するリモコンの構成を示すブロック図
【図４】本発明の実施例である燃焼機器の信号変換手段を備えた中継装置の構成を示すブロック図
【図５】従来例の構成を示すブロック図
【符号の説明】
２０  機器（燃焼機器）
２１  親機（燃焼機器）
４０  子機（温水床暖房装置）
５０  子機（温水浴室乾燥装置）
６０  子機（操作装置）
７０  リモコン
７１  表示手段
７２、７３、７４、７５  操作スイッチ
７７  リモコン制御手段
７８  タイマ設定手段
８０  中継装置
８６  中継装置制御手段
９４  タイマ手段
９８  制御命令記憶手段
【図１】
0003760886.tif 000002
【図２】
0003760886.tif 000003
【図３】
0003760886.tif 000004
【図４】
0003760886.tif 000005
【図５】
0003760886.tif 000006